(57)【要約】【課題】磁気ストライプ７１の古い磁気情報を確実に読み出し不可にすることができる通帳処理装置１、通帳処理方法、及び通帳処理プログラムを提供することを目的とする。【解決手段】磁気ストライプ７１を貼付した通帳７０を搬送する搬送機構部１０と、磁気ストライプ７１に書き込みを行う磁気ヘッド２１と、磁気ストライプ７１の長手方向に磁気ヘッド２１を摺動させる摺動機構部と、主制御部６０とを備えた通帳処理装置１であって、主制御部６０に、通帳７０を内部に搬送する媒体搬送処理と、磁気ヘッド２１と通帳７０とを長手方向の一方に相対移動させるとともに、磁気ストライプ７１における短手方向の縁辺間を繰返し相対移動させる相対移動処理と、磁気を消磁する消磁処理とを備え、相対移動処理を、通帳７０と磁気ヘッド２１との摺動軌跡Ｇにおける長手方向に隣接する二点間距離が、磁気トラック７２のトラック長さＬｍａｘ以下であることを特徴とする。【選択図】図１１
2014229041.tif 000002
【特許請求の範囲】
【請求項１】
所定の情報を磁気情報として記憶する略帯状の磁気ストライプを貼付した媒体の受付けを検出する媒体検出部と、
受付けた前記媒体を内部に搬送する搬送機構部と、
前記磁気ストライプに接触して前記磁気情報の読み出し、及び書き込みを行う磁気ヘッドと、
前記磁気ストライプの長手方向に沿って前記磁気ヘッドを摺動させる摺動機構部と、
各部を制御する制御部とを備えた媒体処理装置であって、
前記制御部に、
前記媒体検出部で前記媒体を検出すると、所定の搬送距離だけ前記媒体を内部に搬送する媒体搬送処理と、
前記磁気ヘッドと前記媒体とを、前記長手方向の一方に沿って相対移動させるとともに、前記磁気ストライプにおける短手方向の縁辺間を繰返し相対移動させる相対移動処理と、
前記媒体と前記磁気ヘッドとの相対移動に伴って、前記磁気ストライプの磁気を消磁する消磁処理とを備え、
前記相対移動処理を、
前記媒体と前記磁気ヘッドとの摺動軌跡における前記短手方向の任意の位置において、前記長手方向に隣接する二点間距離が、前記磁気情報を記憶した磁気トラックにおける前記長手方向の長さ以下となるように、前記媒体と前記磁気ヘッドとを相対移動させる構成とした
媒体処理装置。
【請求項２】
前記制御部に、
前記消磁処理を行ったのち、前記相対移動処理における前記長手方向の一方とは逆方向に、前記媒体と前記磁気ヘッドとを相対移動する戻り処理と、
前記媒体と前記磁気ヘッドとの相対移動に伴って、新しい磁気情報を前記磁気ストライプに書き込む書込み処理とを備えた
請求項１に記載の媒体処理装置。
【請求項３】
前記相対移動処理を、
前記媒体と前記磁気ヘッドとの摺動軌跡が略山型波形となるように、前記媒体と前記磁気ヘッドとを相対移動させる構成とした
請求項１または請求項２に記載の媒体処理装置。
【請求項４】
前記相対移動処理を、
前記媒体と前記磁気ヘッドとの摺動軌跡が略矩形波形となるように、前記媒体と前記磁気ヘッドとを相対移動させる構成とした
請求項１または請求項２に記載の媒体処理装置。
【請求項５】
前記磁気ストライプの任意の位置における前記磁気の有無を登録する磁気テーブルを記憶する記憶部を備え、
前記制御部に、
前記磁気ストライプを走査して、前記磁気を検出する磁気検出処理と、
少なくとも前記磁気を検出した検出位置、及び前記磁気の検出を示す検出情報を関連付けて前記磁気テーブルに登録する登録処理とを備えた
請求項１から請求項４のいずれか一つに記載の媒体処理装置。
【請求項６】
所定の紙葉類に印刷する印刷部を備え、
前記制御部に、
前記磁気テーブルに基づいて、前記検出位置と前記検出情報とを前記所定の紙葉類に印刷する印刷処理を備えた
請求項５に記載の媒体処理装置。
【請求項７】
前記媒体検出部を第１媒体検出部とし、
前記媒体が搬送される搬送方向において、該第１媒体検出部と前記磁気ヘッドとの間に配置されるとともに、搬送された前記媒体を検出する第２媒体検出部を備え、
前記制御部に、
前記所定の搬送距離だけ搬送して停止した前記媒体を前記第２媒体検出部が検出すると、前記第２媒体検出部が前記媒体を検出しない位置まで、前記媒体を内部から搬出する搬出方向、または／及び前記媒体を内部に搬入する搬入方向に少しずつ搬送する位置合わせ処理を備えた
請求項１から請求項６のいずれか一つに記載の媒体処理装置。
【請求項８】
所定の情報を磁気情報として記憶する略帯状の磁気ストライプを貼付した媒体の受付けを検出する媒体検出部と、受付けた前記媒体を内部に搬送する搬送機構部と、前記磁気ストライプに接触して前記磁気情報の読み出し、及び書き込みを行う磁気ヘッドと、前記磁気ストライプの長手方向に沿って前記磁気ヘッドを摺動させる摺動機構部と、各部を制御する制御部とを備えた装置を用いた媒体処理方法であって、
前記制御部の媒体搬送処理により、前記媒体検出部で前記媒体を検出すると、所定の搬送距離だけ前記媒体を内部に搬送して、
前記媒体と前記磁気ヘッドとを相対移動させる前記制御部の相対移動処理により、前記磁気ストライプにおける短手方向の任意の位置において、前記長手方向に隣接する二点間距離が、前記磁気情報を記憶した磁気トラックにおける前記長手方向の長さ以下となる前記媒体と前記磁気ヘッドとの摺動軌跡で、前記磁気ヘッドと前記媒体とを、前記長手方向の一方に沿って相対移動させるとともに、前記磁気ストライプにおける短手方向の縁辺間を繰返し相対移動させ、
前記制御部の消磁処理によって、前記媒体と前記磁気ヘッドとの相対移動に伴って、前記磁気ストライプの磁気を消磁する
媒体処理方法。
【請求項９】
所定の情報を磁気情報として記憶する略帯状の磁気ストライプを貼付した媒体の受付けを検出する媒体検出部と、受付けた前記媒体を内部に搬送する搬送機構部と、前記磁気ストライプに接触して前記磁気情報の読み出し、及び書き込みを行う磁気ヘッドと、前記磁気ストライプの長手方向に沿って前記磁気ヘッドを摺動させる摺動機構部と、各部を制御する制御部とを備えた装置を用いた媒体処理プログラムであって、
前記媒体検出部で前記媒体を検出すると、所定の搬送距離だけ前記媒体を内部に搬送するステップと、
前記磁気ストライプにおける短手方向の任意の位置において、前記長手方向に隣接する二点間距離が、前記磁気情報を記憶した磁気トラックにおける前記長手方向の長さ以下となる前記媒体と前記磁気ヘッドとの摺動軌跡で、前記磁気ヘッドと前記媒体とを、前記長手方向の一方に沿って相対移動させるとともに、前記磁気ストライプにおける前記短手方向の縁辺間を繰返し相対移動させるステップと、
前記媒体と前記磁気ヘッドとの相対移動に伴って、前記磁気ストライプの磁気を消磁するステップとを前記制御部に実行させる
媒体処理プログラム。
【発明の詳細な説明】
【技術分野】
【０００１】
この発明は、例えば、磁気ストライプを貼付した通帳などの媒体において、磁気ストライプに記憶された磁気情報の読み出しと、書き込みとを行うような媒体処理装置、媒体処理方法、及び媒体処理プログラムに関する。
【背景技術】
【０００２】
例えば、金融機関との取引に用いる顧客の通帳に貼付され、顧客の口座番号などの顧客情報を磁気情報として記憶する記憶媒体、あるいは原子力施設で就労する作業員の放射線被爆量を記録する被爆記憶帳に貼付され、作業員の放射線被爆量を磁気情報として記憶する記憶媒体として、薄膜帯状の磁性体である磁気ストライプが用いられている。
【０００３】
この磁気ストライプは、短手方向における長さ（以下、「幅」とする）が幅狭であるほど高い製造精度が要求されることから、昨今、磁気ストライプの幅が幅広となっている。  
一方、磁気ストライプに接触して磁気情報の読み出し、及び書き込みに用いられる磁気ヘッドは、従来、磁気ストライプの幅より幅広であったが、幅広であるほど高価となることから、昨今、従来の磁気ヘッドの幅に比べて幅狭となっている。
【０００４】
ところが、磁気ストライプに磁気ヘッドを介して磁気情報を記憶する際、磁気ヘッドに対応する幅の磁気トラックに磁気情報が書き込まれるため、例えば、幅広の磁気ヘッドで書き込まれた幅広の磁気ストライプの磁気情報を、幅狭の磁気ヘッドで書き換えると、幅広の磁気ヘッドで書き込まれた磁気情報が読み出し可能な状態となることがある。
【０００５】
より詳しくは、従来の磁気ストライプと磁気ヘッドとの関係を説明する説明図を示す図２３（ａ）のように、幅広の磁気ヘッドで磁気情報が書き込まれた幅広の磁気トラック７２を有する幅広の磁気ストライプ７１において、幅狭の磁気ヘッド２１で新しい磁気情報を書き込むと、古い幅広の磁気トラック７２に重なり合うように新しい幅狭の磁気トラック７３が書き込まれることがある。
【０００６】
この場合、読取り位置Ｘ１において、磁気ヘッド２１が磁気ストライプ７１を読み取ると、幅狭の磁気トラック７３に記憶された正しい磁気情報を読み出せるが、読取り位置Ｘ２において、磁気ヘッド２１が磁気ストライプ７１を読み取ると、幅広の磁気トラック７２に記憶された古い磁気情報を読み出すことができるという問題があった。
【０００７】
そこで、磁気ストライプの磁気情報を書き換える際、古い磁気トラックの磁気情報を読み出し不可にする様々な技術が提案されている。  
例えば、特許文献１に記載の通帳処理装置には、磁気ヘッドの幅の磁気トラックに磁気情報を記憶した媒体を搬送方向に僅かに移動させて、磁気ストライプの長手方向に沿って磁気を消磁することで、磁気ヘッドの幅よりも狭い幅の磁気トラックに磁気情報を記憶することができるとされている。
【０００８】
これを応用して、媒体を搬送方向に少しずつ移動させて、磁気ストライプの磁気を繰返し消磁することで、古い磁気トラックの磁気情報を全て消去することができる。  
また、特許文献２に記載のカードリーダには、磁気ストライプの略対角線上に沿って磁気ストライプの磁気を消磁することで、容易に古い磁気情報を読み出せないようにするとされている。
【０００９】
しかしながら、特許文献１の通帳処理装置は、幅狭の磁気ヘッドの場合、磁気ヘッドを繰返し移動させる必要があるため、磁気ストライプの磁気を消磁するのに多大な時間を要するという問題がある。一方、繰返し回数を一回にするため、磁気ヘッドの幅を広くすると、高価な磁気ヘッドが必要となるという問題があった。
【００１０】
また、特許文献２のカードリーダでは、磁気ストライプの略対角線上に沿って磁気情報を書き換えるため、磁気トラックが磁気ヘッドの摺動軌跡上に位置しない場合、例えば、図２３（ｂ）のように、磁気トラック７２が磁気ストライプ７１の隅部に位置した場合、摺動軌跡Ｇ上に磁気トラック７２が位置しないため、読取り位置Ｘ３において磁気ヘッド２１が磁気ストライプ７１を読み取ると、磁気トラック７２の磁気情報を読み出し可能であるという問題があった。
【先行技術文献】
【特許文献】
【００１１】
【特許文献１】特開２００７−１２８４６２号公報
【特許文献２】特開平１１−８６２０５号公報
【発明の概要】
【発明が解決しようとする課題】
【００１２】
本発明は、上述の問題に鑑み、磁気ストライプの古い磁気情報を確実に読み出し不可にすることができる媒体処理装置、媒体処理方法、及び媒体処理プログラムを提供することを目的とする。
【課題を解決するための手段】
【００１３】
この発明は、所定の情報を磁気情報として記憶する略帯状の磁気ストライプを貼付した媒体の受付けを検出する媒体検出部と、受付けた前記媒体を内部に搬送する搬送機構部と、前記磁気ストライプに接触して前記磁気情報の読み出し、及び書き込みを行う磁気ヘッドと、前記磁気ストライプの長手方向に沿って前記磁気ヘッドを摺動させる摺動機構部と、各部を制御する制御部とを備えた媒体処理装置であって、前記制御部に、前記媒体検出部で前記媒体を検出すると、所定の搬送距離だけ前記媒体を内部に搬送する媒体搬送処理と、前記磁気ヘッドと前記媒体とを、前記長手方向の一方に沿って相対移動させるとともに、前記磁気ストライプにおける短手方向の縁辺間を繰返し相対移動させる相対移動処理と、前記媒体と前記磁気ヘッドとの相対移動に伴って、前記磁気ストライプの磁気を消磁する消磁処理とを備え、前記相対移動処理を、前記媒体と前記磁気ヘッドとの摺動軌跡における前記短手方向の任意の位置において、前記長手方向に隣接する二点間距離が、前記磁気情報を記憶した磁気トラックにおける前記長手方向の長さ以下となるように、前記媒体と前記磁気ヘッドとを相対移動させる構成としたことを特徴とする。
【発明の効果】
【００１４】
本発明により、磁気ストライプの古い磁気情報を読み出し不可にできる媒体処理装置、媒体処理方法、及び媒体処理プログラムを提供することができる。
【図面の簡単な説明】
【００１５】
【図１】通帳処理装置における内部構成を示す内部構成図。
【図２】通帳処理装置における搬送路を平面視で示す平面図。
【図３】通帳処理装置における内部要素を示すブロック図。
【図４】磁気ストライプを底面視で説明する説明図。
【図５】通帳処理における動作を示すフローチャート。
【図６】通帳受付け処理における動作を示すフローチャート。
【図７】磁気情報消去処理における動作を示すフローチャート。
【図８】磁気情報消去処理における動作を示すフローチャート。
【図９】書込み処理における動作を示すフローチャート。
【図１０】平面視における通帳の搬送位置を説明する説明図。
【図１１】磁気ヘッドと通帳との摺動軌跡を底面視で説明する説明図。
【図１２】新しい磁気情報を書き込んだ状態における磁気ストライプを底面視で説明する説明図。
【図１３】実施例２における摺動軌跡を底面視で説明する説明図。
【図１４】実施例２における磁気情報消去処理の動作を示すフローチャート。
【図１５】実施例２における磁気情報消去処理の動作を示すフローチャート。
【図１６】別の摺動軌跡を説明する説明図。
【図１７】実施例３の磁気テーブルを説明する説明図。
【図１８】実施例３の磁化確認処理における動作を示すフローチャート。
【図１９】実施例３の磁気解析処理における動作を示すフローチャート。
【図２０】実施例３の磁気ストライプにおける磁化状態を説明する説明図。
【図２１】実施例３の印刷処理における動作を示しフローチャート。
【図２２】実施例３の磁気テーブルの内容を通帳に印刷した印刷状態を説明する説明図。
【図２３】従来の磁気ストライプと磁気ヘッドとの関係を説明する説明図。
【発明を実施するための形態】
【００１６】
この発明の一実施形態を以下図面と共に説明する。  
【実施例１】
【００１７】
まず、本実施例における通帳処理装置１（媒体処理装置）、及び通帳７０（媒体）について、図１から図４を用いて詳しく説明する。  
なお、図１は通帳処理装置１における内部構成図を示し、図２は通帳処理装置１における搬送路１ｂの平面図を示し、図３は通帳処理装置１における内部要素のブロック図を示し、図４は磁気ストライプ７１（磁気ストライプ）を底面視で説明する説明図を示している。  
また、図４（ａ）は通帳７０に貼付した磁気ストライプ７１の底面図を示し、図４（ｂ）は磁気トラック７２（磁気トラック）の構成を説明する説明図を示している。
【００１８】
また、図１中における矢印は、通帳７０を搬送する搬送方向を示し、通帳７０を内部に搬送する方向（図１中における左方向）を搬入方向Ｘｉ（搬入方向）、通帳７０を外部に搬送する方向（図１中における右方向）を搬出方向Ｘｏ（搬出方向）とする。さらに、図１中における上側を通帳処理装置１の上方とし、図１中における下側を下方とする。
【００１９】
通帳処理装置１は、例えば、ＡＴＭなどの自動取引装置（図示省略）に内装され、利用者との取引を行う際、利用者が所有する通帳７０を受付けるとともに、通帳７０に対して取引に応じた各種処理動作を行う装置である。  
利用者が所有する通帳７０は、図１及び図４に示すように、紙葉類を束ねて二つ折りにした冊子状であって、取引にかかる各種情報を記録している。そして、二つ折りの状態における通帳７０の一方の表面には、利用者の顧客情報（所定の情報）などを記憶した磁気ストライプ７１を貼付している。
【００２０】
磁気ストライプ７１は、図４（ａ）に示すように、搬送方向を短手方向とする薄膜帯状の磁性体であって、短手方向における長さ（以下、「幅」とする）が後述する磁気ヘッド２１（磁気ヘッド）の幅よりも幅広に形成している。なお、磁気ストライプ７１は、初期状態では磁化しておらず、後述する磁気ヘッド２１による磁界の変化によって磁化、あるいは消磁する性質を有している。
【００２１】
この磁気ストライプ７１には、磁気ヘッド２１の幅に対して幅広で、かつ磁気ストライプ７１の長手方向における所定の長さの範囲で構成された磁気トラック７２に、利用者の顧客情報などが磁気情報（磁気情報）として予め記憶されている。  
磁気トラック７２は、図４（ｂ）に示すように、後述する磁気ヘッド２１の摺動方向Ｙ（長手方向の一方）に沿って、ＮＵＬＬ、チェックデジット、エンド符号、磁気情報、スタート符号、ＮＵＬＬの順で配置されて構成している。
【００２２】
磁気情報は、顧客情報などを磁気に変換して記憶している領域である。  
チェックデジットは、スタート符号からエンド符号の間における磁気情報の読取りが正常に行われたか否かをチェックする情報を記憶している。  
なお、磁気トラック７２において、ＮＵＬＬからＮＵＬＬの間における長手方向の長さをトラック長さＬｍａｘ（磁気トラックにおける長手方向の長さ）とする。
【００２３】
通帳処理装置１は、利用者との取引の際、利用者の通帳７０に記憶された顧客情報などを読み取る機能と、通帳７０に各種情報を書き込む機能とを有する装置である。  
より詳しくは、通帳処理装置１は、図１から図３に示すように、受付け口１ａと、搬送路１ｂと、搬送機構部１０（搬送機構部）と、磁気読取り書込み部２０と、印刷部３０（印刷部）と、記憶部４０（記憶部）と、保守モード切替部５０と、主制御部６０（制御部）とで構成している。
【００２４】
受付け口１ａは、利用者による通帳７０の投入を受け付ける投入口としての機能、及び利用者に対して通帳７０を排出して受け渡す排出口としての機能を有している。なお、受付け口１ａは、適宜のページを開いた通帳７０を、磁気ストライプ７１の短手方向と搬入方向Ｘｉとを一致させて投入可能な大きさに形成している。  
搬送路１ｂは、受付け口１ａから搬入方向Ｘｉに沿って形成され、搬入方向Ｘｉ及び搬出方向Ｘｏに通帳７０を搬送する際における搬送空間である。
【００２５】
搬送機構部１０は、受付け口１ａに投入された通帳７０を搬入方向Ｘｉに向けて搬送する機能と、利用者に排出するために搬出方向Ｘｏに向けて通帳７０を搬送する機能とを有している。  
具体的には、搬送機構部１０は、搬送路１ｂ上に配置された複数の搬送ローラー１１と、搬送ローラー１１を回転駆動する搬送モーター１２と、搬送路１ｂにおける受付け口１ａ側の上方に配置された第１検出センサ１３（媒体検出部、第１媒体検出部）と、搬送路１ｂの略中央下方に配置された第２検出センサ１４（第２媒体検出部）と、各部と所定のバスを介して接続した搬送制御部１５とで構成している。
【００２６】
第１検出センサ１３、及び第２検出センサ１４は、光学センサなどで構成し、通帳７０の通過を検出する機能を有している。なお、第１検出センサ１３、及び第２検出センサ１４は、詳細な図示を省略するが、平面視において搬送方向と略直交する方向に移動可能に構成している。
【００２７】
搬送制御部１５は、ＣＰＵ、及びメモリ等のハード構成と、プログラム、及びデータ等のソフト構成とで構成され、所定のバスを介して接続した搬送モーター１２、第１検出センサ１３、及び第２検出センサ１４の動作を制御する機能と、所定のバスを介して接続した主制御部６０との各種情報の受け渡しを行う機能とを有している。
【００２８】
磁気読取り書込み部２０は、投入された通帳７０の磁気ストライプ７１を読み取る機能と、磁気ストライプ７１に各種情報を書き込む機能とを有している。  
具体的には、磁気読取り書込み部２０は、磁気ヘッド２１と、ヘッド摺動部２２（摺動機構部）と、摺動モーター２３（摺動機構部）と、磁気解析部２４と、ヘッド制御部２５（摺動機構部）とで構成している。
【００２９】
磁気ヘッド２１は、通帳７０の磁気ストライプ７１に接触して検出した磁界の増減を連続的な電流に変換し出力信号として出力する機能と、印加された電流に応じた磁界を発生させて磁気ストライプ７１を磁化、あるいは消磁させる機能とを有している。なお、磁気ヘッド２１は、図２に示すように、平面視において、搬入方向Ｘｉに向って左側に位置した状態を初期位置とする。
【００３０】
ヘッド摺動部２２は、磁気ヘッド２１及び摺動モーター２３と接続されたスライドレールなどで構成し、摺動モーター２３の回転駆動によって磁気ヘッド２１を、平面視において搬送方向と略直交する摺動方向Ｙ（図２参照）に向けて移動させる機能と、摺動方向Ｙに移動した磁気ヘッド２１を初期位置に戻す機能とを有している。  
摺動モーター２３は、ヘッド制御部２５の指示により、適宜の回転方向に駆動する機能を有している。
【００３１】
磁気解析部２４は、磁気ヘッド２１が出力した出力信号を解析して二値化したのち、所定の磁気フォーマットに変換する機能と、顧客情報などに応じた磁界を磁気ヘッド２１に発生させる信号を出力する機能とを有している。  
ヘッド制御部２５は、ＣＰＵ、及びメモリ等のハード構成と、プログラム、及びデータ等のソフト構成とで構成され、所定のバスを介して接続した磁気ヘッド２１、摺動モーター２３、及び磁気解析部２４の動作を制御する機能と、所定のバスを介して接続した主制御部６０との各種情報の受け渡しを行う機能とを有している。
【００３２】
印刷部３０は、インクタンク、噴射ノズル、及びノズル可動部などで構成し、通帳７０の所定の位置に印刷する機能を有している。  
記憶部４０は、ハードディスク、あるいは不揮発性メモリなどで構成し、各種情報を記憶する機能と、各種情報を読み出す機能とを有している。  
保守モード切替部５０は、行員などによって押下されることで、利用者との取引を行う動作と、通常の取引とは異なる保守点検を行う動作とを切り替える機能を有している。
【００３３】
主制御部６０は、ＣＰＵ、及びメモリ等のハード構成と、プログラム、及びデータ等のソフト構成とで構成され、所定のバスを介して接続された搬送機構部１０、磁気読取り書込み部２０、印刷部３０、記憶部４０、及び保守モード切替部５０の動作を制御する機能と、所定のバスを介して接続された上位制御部２と各種情報の受け渡しを行う機能を有する。
【００３４】
なお、上位制御部２は、通帳処理装置１を内装する装置、例えば、自動取引装置における各部を制御する機能を有しており、主制御部６０と同様に、ＣＰＵ、及びメモリ等のハード構成と、プログラム、及びデータ等のソフト構成とで構成している。
【００３５】
引続き、このような構成の通帳処理装置１において、通帳７０の磁気ストライプ７１に記憶された磁気情報を書き換える動作について、図５から図１２を用いて詳しく説明する。  
なお、図５は通帳処理における動作のフローチャートを示し、図６は通帳受付け処理における動作のフローチャートを示し、図７は磁気情報消去処理における動作のフローチャートを示し、図８は磁気情報消去処理における動作のフローチャートを示している。
【００３６】
さらに、図９は書込み処理における動作のフローチャートを示し、図１０は平面視における通帳７０の搬送位置を説明する説明図を示し、図１１は磁気ヘッド２１と通帳７０との摺動軌跡を底面視で説明する説明図を示し、図１２は新しい磁気情報を書き込んだ状態における磁気ストライプ７１を底面視で説明する説明図を示している。
【００３７】
まず、自動取引装置などの電源が投入されると、上位制御部２の指示により、主制御部６０は、利用者による通帳７０を受付けて処理する通帳処理を開始する。  
通帳処理を開始すると、主制御部６０は、図５に示すように、磁気ヘッド２１が初期位置にて待機しているか否かを判定する（ステップＳ１０１）。
【００３８】
磁気ヘッドが初期位置で待機していなければ（ステップＳ１０１：Ｎｏ）、主制御部６０は、初期位置移動処理を実行し（ステップＳ１０２）、磁気読取り書込み部２０を介して磁気ヘッド２１を初期位置に移動させたのち、処理をステップＳ１０３に進める。  
一方、磁気ヘッド２１が初期位置にて待機していれば（ステップＳ１０１：Ｙｅｓ）、主制御部６０は、処理をステップＳ１０３に進める。
【００３９】
磁気ヘッド２１が初期位置で待機すると、主制御部６０は、利用者による通帳７０の投入を受付ける通帳受付け処理を開始する（ステップＳ１０３）。  
詳しくは、通帳受付け処理を開始すると、主制御部６０は、図６に示すように、磁気ストライプ７１を下方にして投入された通帳７０（図１参照）を第１検出センサ１３が検出したか否かを判定する（ステップＳ１１１）。第１検出センサ１３が通帳７０を検出していなければ（ステップＳ１１１：Ｎｏ）、主制御部６０は、第１検出センサ１３が通帳７０を検出するまで処理を待機する。
【００４０】
一方、第１検出センサ１３が通帳７０を検出すると（ステップＳ１１１：Ｙｅｓ）、主制御部６０は、通帳７０を搬入方向Ｘｉに搬送する通帳搬入開始処理を実行する（ステップＳ１１２）。詳しくは、主制御部６０の指示により、搬送機構部１０は、搬送モーター１２を回転駆動して、搬送ローラー１１を搬入方向Ｘｉに回転駆動させる。
【００４１】
その後、主制御部６０は、第２検出センサ１４が通帳７０を検出しているか否かを判定する（ステップＳ１１３）。第２検出センサ１４が通帳７０を検出していなければ（ステップＳ１１３：Ｎｏ）、主制御部６０は、搬入方向Ｘｉに搬送されている通帳７０を第２検出センサ１４が検出するまで処理を待機する。
【００４２】
一方、第２検出センサ１４が通帳７０を検出すると（ステップＳ１１３：Ｙｅｓ）、主制御部６０は、通帳搬入停止処理を実行し（ステップＳ１１４）、搬送モーター１２の回転駆動を搬送機構部１０に停止させて、通帳７０の搬送を停止する。
【００４３】
搬入方向Ｘｉへの通帳７０の搬送を停止すると、主制御部６０は、通帳７０を搬出方向Ｘｏに少しずつ搬送する通帳搬出開始処理を実行する（ステップＳ１１５）。詳しくは、主制御部６０の指示により、搬送機構部１０は、搬送モーター１２を低速駆動して、搬送ローラー１１を搬出方向Ｘｏに回転駆動させる。この際、主制御部６０の指示により、搬送機構部１０は、通帳７０を少しずつ搬出方向Ｘｏに搬送する。
【００４４】
そして、主制御部６０は、第２検出センサ１４が通帳７０を検出しているか否かを判定する（ステップＳ１１６）。第２検出センサ１４が通帳７０を検出していれば（ステップＳ１１６：Ｙｅｓ）、主制御部６０は、図１０（ａ）に示すように、第２検出センサ１４が通帳７０を検出しなくなる位置に搬送されるまで処理を待機する。
【００４５】
一方、第２検出センサ１４が通帳７０を検出しなくなると（ステップＳ１１６：Ｎｏ）、主制御部６０は、通帳搬出停止処理を実行し（ステップＳ１１７）、搬送モーター１２の回転駆動を搬送機構部１０に停止させて、通帳７０の搬送を停止する。
【００４６】
その後、主制御部６０は、磁気ヘッド２１と磁気ストライプ７１とが摺動可能な位置まで、搬入方向Ｘｉに向けて通帳７０を搬送機構部１０に搬送させる書込み位置移動処理を実行する（ステップＳ１１８）。
【００４７】
この際、主制御部６０は、図１０（ｂ）に示すように、搬送方向において、磁気ストライプ７１の中心と、磁気ヘッド２１の中心とが略同位置となる位置まで通帳７０を搬入方向Ｘｉに搬送させる。書込み位置移動処理を終了すると、主制御部６０は、通帳受付け処理を終了して、処理を図５のステップＳ１０３に戻す。
【００４８】
図５のステップＳ１０３に戻ると、主制御部６０は、軌跡算出処理を実行し（ステップＳ１０４）、磁気ストライプ７１と磁気ヘッド２１との摺動軌跡を算出する。  
詳述すると、主制御部６０は、図１１（ａ）に示すように、磁気ストライプ７１の仮想二次平面を形成し、磁気ストライプ７１における短手方向の仮想中心線ＣＬと、磁気ストライプ７１における長手方向の縁辺との交点に対して、磁気ヘッド２１の初期位置側を仮想始点ＳＰと設定し、他方を仮想終点ＥＰと設定する。
【００４９】
そして、主制御部６０は、仮想始点ＳＰ及び仮想終点ＥＰからそれぞれ所定の長さを除いた仮想中心線ＣＬの範囲を、複数に分割して仮想分割点を設定する。この際、主制御部６０は、磁気ストライプ７１の長手方向で隣接する仮想分割点の間隔Ｌ１（二点間距離）が、磁気トラック７２のトラック長さＬｍａｘ（図４参照）の半分以下、より好ましくは磁気トラック７２のトラック長さＬｍａｘの半分未満となる分割数で分割する。ここでは、主制御部６０は、所定の長さを除いた仮想中心線ＣＬの範囲を分割数１０で分割し、仮想分割点に対して仮想始点ＳＰ側から順に仮想分割点ＤＰ１からＤＰ１１を設定する。
【００５０】
仮想分割点ＤＰ１からＤＰ１１を設定すると、主制御部６０は、隣接する仮想分割点ＤＰ１と仮想分割点ＤＰ２との間における仮想中心線ＣＬの中点を通る仮想垂線（図示省略）と、磁気ストライプ７１における搬出方向Ｘｏ側の縁辺との交点を仮想頂点Ｐ１として設定する。さらに、隣接する仮想分割点ＤＰ２と仮想分割点ＤＰ３との間における仮想中心線ＣＬの中点を通る仮想垂線（図示省略）と、磁気ストライプ７１における搬入方向Ｘｉ側の縁辺との交点を仮想頂点Ｐ２として設定する。
【００５１】
同様にして、主制御部６０は、仮想分割点ＤＰ３から仮想分割点ＤＰ１１の間において、仮想頂点Ｐ３からＰ１０を設定する。このように設定した仮想頂点Ｐ１からＰ１０は、仮想中心線ＣＬを挟んで交互に配置され、磁気ストライプ７１の長手方向で隣接する仮想頂点の間隔Ｌ２（二点間距離）が、少なくとも磁気トラック７２のトラック長さＬｍａｘ以下となる。
【００５２】
仮想頂点Ｐ１からＰ１０を設定すると、主制御部６０は、磁気ヘッド２１が、仮想始点ＳＰから仮想分割点ＤＰ１を介して、仮想頂点Ｐ１から仮想頂点Ｐ１０を順番に通過するとともに、仮想分割点ＤＰ１１を介して仮想終点ＥＰに到達するように、摺動方向Ｙへの磁気ヘッド２１の移動速度と、搬入方向Ｘｉ及び搬出方向Ｘｏへの通帳７０の搬送速度などを算出する。  
軌跡算出処理を終了すると、主制御部６０は、書き込み情報準備処理を実行し（ステップＳ１０５）、磁気ストライプ７１に書き込む顧客情報を、磁気解析部２４において変換させる。
【００５３】
その後、主制御部６０は、磁気ストライプ７１に書き込まれた磁気トラック７２の磁気情報を読み出し不可にする磁気情報消去処理を実行する（ステップＳ１０６）。  
より詳しくは、磁気情報消去処理を実行すると、主制御部６０は、図７及び図８に示すように、カウンタｎを「０」にセットすると（ステップＳ１２１）、磁気ヘッド２１を摺動方向Ｙへ向かって移動開始させる磁気ヘッド送り開始処理を実行する（ステップＳ１２２）。
【００５４】
そして、主制御部６０は、仮想始点ＳＰに対応する磁気ストライプ７１の位置に磁気ヘッド２１が到達したか否かを判定する（ステップＳ１２３）。仮想始点ＳＰに対応する磁気ストライプ７１の位置に磁気ヘッド２１が到達していなければ（ステップＳ１２３：Ｎｏ）、主制御部６０は、仮想始点ＳＰに対応する磁気ストライプ７１の位置に磁気ヘッド２１が到達するまで処理を待機する。
【００５５】
仮想始点ＳＰに対応する磁気ストライプ７１の位置に磁気ヘッド２１が到達すると（ステップＳ１２３：Ｙｅｓ）、主制御部６０は、消磁開始処理を実行する（ステップＳ１２４）。詳しくは、主制御部６０の指示により、ヘッド制御部２５は、磁気ストライプ７１の磁気を消磁可能な所定の電流を磁気ヘッド２１に対して印加して磁界を発生させる。
【００５６】
消磁開始処理を実行すると、主制御部６０は、仮想分割点ＤＰ１に対応する磁気ストライプ７１の位置に磁気ヘッド２１が到達したか否かを判定する（ステップＳ１２５）。仮想分割点ＤＰ１に対応する磁気ストライプ７１の位置に磁気ヘッド２１が到達していなければ（ステップＳ１２５：Ｎｏ）、主制御部６０は、摺動方向Ｙに移動する磁気ヘッド２１が仮想分割点ＤＰ１に対応する位置に到達するまで処理を待機する。
【００５７】
一方、仮想分割点ＤＰ１に対応する磁気ストライプ７１の位置に磁気ヘッド２１が到達すると（ステップＳ１２５：Ｙｅｓ）、主制御部６０は、搬送機構部１０を介して通帳７０を搬出方向Ｘｏに向けて搬送する通帳搬出移動処理を実行して（ステップＳ１２６）、カウンタｎに「１」を加算する（ステップＳ１２７）。
【００５８】
その後、主制御部６０は、仮想頂点Ｐ（ｎ）に対応する磁気ストライプ７１の位置に磁気ヘッド２１が到達したか否かを判定する（ステップＳ１２８）。なお、仮想頂点Ｐ（ｎ）の（ｎ）には、カウンタｎを代入するものとする。ここでは、カウンタｎが「１」のため、仮想頂点Ｐ１に対応する磁気ストライプ７１の位置に磁気ヘッド２１が到達したか否かを判定する。
【００５９】
仮想頂点Ｐ１に対応する磁気ストライプ７１の位置に磁気ヘッド２１が到達していなければ（ステップＳ１２８：Ｎｏ）、主制御部６０は、仮想頂点Ｐ１に対応する磁気ストライプ７１の位置に磁気ヘッド２１が到達するまで処理を待機する。
【００６０】
仮想頂点Ｐ１に対応する磁気ストライプ７１の位置に磁気ヘッド２１が到達すると（ステップＳ１２８：Ｙｅｓ）、主制御部６０は、通帳７０の搬出方向Ｘｏへの搬送を停止し、搬送機構部１０を介して通帳７０を搬入方向Ｘｉに向けて搬送する通帳搬入移動処理を実行して（ステップＳ１２９）、カウンタｎに「１」を加算する（ステップＳ１３０）。
【００６１】
その後、主制御部６０は、カウンタｎが分割数１０と一致するか否かを判定する（ステップＳ１３１）。カウンタｎが分割数１０と一致しなければ（ステップＳ１３１：Ｎｏ）、主制御部６０は、全ての仮想頂点に対応する磁気ストライプ７１の位置を磁気ヘッド２１が通過していないと判定して、磁気ヘッド２１及び通帳７０の搬送を継続する。
【００６２】
そして、主制御部６０は、仮想頂点Ｐ（ｎ）に対応する磁気ストライプ７１の位置に磁気ヘッド２１が到達したか否かを判定する（ステップＳ１３２）。ここでは、カウンタｎが「２」のため、仮想頂点Ｐ２に対応する磁気ストライプ７１の位置に磁気ヘッド２１が到達したか否かを判定する。
【００６３】
仮想頂点Ｐ２に対応する磁気ストライプ７１の位置に磁気ヘッド２１が到達していなければ（ステップＳ１３２：Ｎｏ）、主制御部６０は、仮想頂点Ｐ２に対応する磁気ストライプ７１の位置に磁気ヘッド２１が到達するまで処理を待機する。
【００６４】
仮想頂点Ｐ２に対応する磁気ストライプ７１の位置に磁気ヘッド２１が到達すると（ステップＳ１３２：Ｙｅｓ）、主制御部６０は、通帳７０の搬入方向Ｘｉへの搬送を停止し、搬送機構部１０を介して通帳７０を搬出方向Ｘｏに向けて搬送する通帳搬出移動処理を実行して（ステップＳ１３３）、カウンタｎに「１」を加算する（ステップＳ１３４）。
【００６５】
その後、主制御部６０は、カウンタｎが分割数１０と一致するか否かを判定する（ステップＳ１３５）。カウンタｎが分割数１０と一致しなければ（ステップＳ１３５：Ｎｏ）、主制御部６０は、全ての仮想頂点に対応する磁気ストライプ７１の位置を磁気ヘッド２１が通過していないと判定して、処理をステップＳ１２８に戻す。すなわち、主制御部６０は、カウンタｎが分割数１０と一致するまで、ステップＳ１２８からステップＳ１３５までの処理を繰返し行う。
【００６６】
そして、ステップＳ１３１においてカウンタｎと分割数１０とが一致すると（ステップＳ１３１：Ｙｅｓ）、あるいはステップＳ１３５においてカウンタｎと分割数１０とが一致すると（ステップＳ１３５：Ｙｅｓ）、主制御部６０は、仮想頂点Ｐ１からＰ１０に対応する磁気ストライプ７１の位置を磁気ヘッド２１が通過したと判定する。その後、主制御部６０は、仮想分割点ＤＰ１１に対応する磁気ストライプ７１の位置に磁気ヘッド２１が到達したか否かを判定する（ステップＳ１３６）。
【００６７】
仮想分割点ＤＰ１１に対応する磁気ストライプ７１の位置に磁気ヘッド２１が到達していなければ（ステップＳ１３６：Ｎｏ）、主制御部６０は、仮想分割点ＤＰ１１に対応する磁気ストライプ７１の位置に磁気ヘッド２１が到達するまで処理を待機する。
【００６８】
仮想分割点ＤＰ１１に対応する磁気ストライプ７１の位置に磁気ヘッド２１が到達すると（ステップＳ１３６：Ｙｅｓ）、主制御部６０は、通帳７０の搬入方向Ｘｉへの搬送、あるいは搬出方向Ｘｏへの搬送を搬送機構部１０に停止させる通帳搬送停止処理を実行する（ステップＳ１３７）。
【００６９】
通帳７０の搬送を停止すると、主制御部６０は、仮想終点ＥＰに対応する磁気ストライプ７１の位置に磁気ヘッド２１が到達したか否かを判定する（ステップＳ１３８）。仮想終点ＥＰに対応する磁気ストライプ７１の位置に磁気ヘッド２１が到達していなければ（ステップＳ１３８：Ｎｏ）、主制御部６０は、仮想終点ＥＰに対応する磁気ストライプ７１の位置に磁気ヘッド２１が到達するまで処理を待機する。
【００７０】
一方、仮想終点ＥＰに対応する磁気ストライプ７１の位置に磁気ヘッド２１が到達すると（ステップＳ１３８：Ｙｅｓ）、主制御部６０は、磁気ヘッド送り停止処理を実行し（ステップＳ１３９）、磁気ヘッド２１の摺動方向Ｙへの移動を磁気読取り書込み部２０に停止させる。さらに、主制御部６０は、消磁停止処理を実行し（ステップＳ１４０）、磁気ヘッド２１に対する電流の印加を磁気読取り書込み部２０に停止させたのち、磁気情報消去処理を終了して図５のステップＳ１０６に処理を戻す。
【００７１】
このようにして、磁気ヘッド２１と通帳７０とが相対移動した際における磁気ヘッド２１と磁気ストライプ７１との摺動軌跡Ｇ（摺動軌跡）は、図１１（ｂ）に示すように、仮想始点ＳＰ、仮想分割点ＤＰ１、仮想頂点Ｐ１から仮想頂点Ｐ１０、仮想分割点ＤＰ１１、及び仮想終点ＥＰを略直線で順番に結んだ摺動方向Ｙに延びる略山型波形となる。
【００７２】
そして、磁気ヘッド２１が仮想始点ＳＰから仮想終点ＥＰに移動する間、磁気ヘッド２１を介して消磁が行われているため、磁気トラック７２は、図１１（ｃ）に示すように、略山型波形の摺動軌跡Ｇによって部分的に磁気が消磁された状態となる。
【００７３】
図５のステップＳ１０６に戻り、磁気情報消去処理を終了すると、主制御部６０は、磁気ストライプ７１に対して新しい磁気情報を記憶させる書込み処理を開始する（ステップＳ１０７）。  
詳しくは、書込み処理を開始すると、主制御部６０は、図９に示すように、磁気ヘッド戻り開始処理を実行し（ステップＳ１５１）、摺動方向Ｙとは逆方向に磁気ヘッド２１を磁気読取り書込み部２０に移動開始させる。
【００７４】
そして、主制御部６０は、仮想終点ＥＰに対応する磁気ストライプ７１の位置を磁気ヘッド２１が通過したか否かを判定する（ステップＳ１５２）。仮想終点ＥＰに対応する磁気ストライプ７１の位置を磁気ヘッド２１が通過していなければ（ステップＳ１５２：Ｎｏ）、主制御部６０は、仮想終点ＥＰに対応する磁気ストライプ７１の位置を磁気ヘッド２１が通過するまで処理を待機する。
【００７５】
仮想終点ＥＰに対応する磁気ストライプ７１の位置を磁気ヘッド２１が通過すると（ステップＳ１５２：Ｙｅｓ）、主制御部６０は、新しい磁気情報を書き込む書込み開始位置に磁気ヘッド２１が到達したか否かを判定する（ステップＳ１５３）。  
例えば、図１２に示すように、磁気ストライプ７１の書込み開始位置Ｗに磁気ヘッド２１が到達していなければ（ステップＳ１５３：Ｎｏ）、主制御部６０は、書込み開始位置に磁気ヘッド２１が到達するまで処理を待機する。
【００７６】
書込み開始位置に磁気ヘッド２１が到達すると（ステップＳ１５３：Ｙｅｓ）、主制御部６０は、書込み開始処理を実行し（ステップＳ１５４）、磁気ヘッド２１を介して磁気ストライプ７１を磁化させて磁気情報を記憶させる。  
この際、磁気ストライプ７１には、図１２に示すように、磁気ヘッド２１の大きさに応じたトラック幅で、書込み開始位置Ｗから所定の長さの新しい磁気トラック７３（磁気トラック）に新しい磁気情報が記憶される。なお、新しい磁気トラック７３は、古い磁気トラック７２に部分的に重なるように形成されている。
【００７７】
その後、主制御部６０は、磁気情報の書き込みが完了したか否かを判定する（ステップＳ１５５）。磁気情報の書込みが完了していなければ（ステップＳ１５５：Ｎｏ）、主制御部６０は、磁気情報の書込みが完了するまで処理を待機する。
【００７８】
磁気情報の書込みが完了すると（ステップＳ１５５：Ｙｅｓ）、主制御部６０は、磁気ヘッド２１が初期位置まで移動したか否かを判定する（ステップＳ１５６）。磁気ヘッド２１が初期位置まで移動していなければ（ステップＳ１５６：Ｎｏ）、主制御部６０は、磁気ヘッド２１が初期位置に移動するまで処理を待機する。
【００７９】
一方、磁気ヘッド２１が初期位置に移動すると（ステップＳ１５６：Ｙｅｓ）、主制御部６０は、磁気ヘッド戻り停止処理を実行し（ステップＳ１５７）、磁気ヘッド２１の移動を磁気読取り書込み部２０に停止させる。  
磁気ヘッド２１が初期位置で停止すると、主制御部６０は、書込み処理を終了して図５のステップＳ１０７に処理を戻したのち、通帳処理を終了する。
【００８０】
以上のような動作を実現する通帳処理装置１、通帳処理方法、及び通帳処理プログラムは、磁気ストライプ７１の古い磁気情報を確実に読み出し不可にすることができる。  
具体的には、図７及び図８の磁気情報消去処理におけるステップＳ１２２からステップＳ１３９、すなわち磁気ヘッド２１が摺動方向Ｙに移動する間に、通帳７０が搬入方向Ｘｉ、あるいは搬出方向Ｘｏに繰返し移動することにより、磁気ストライプ７１と磁気ヘッド２１との摺動軌跡Ｇは、摺動方向Ｙに連続する略山型波形となる。
【００８１】
この際、図５のステップＳ１０４において、隣接する仮想分割点の間隔Ｌ１をトラック長さＬｍａｘの半分以下とし、隣接する仮想頂点の間隔Ｌ２をトラック長さＬｍａｘ以下としたことにより、略山型波形の摺動軌跡Ｇにおける磁気ストライプ７１の長手方向に隣接する二点間距離は、搬送方向の任意に位置において、常にトラック長さＬｍａｘ以下とすることができる。
【００８２】
このため、磁気ヘッド２１は、磁気情報を記憶した磁気トラック７２が磁気ストライプ７１の短手方向、及び長手方向の如何なる位置にあっても、磁気トラック７２上を少なくとも１回、長手方向に対して交差する方向に横断することができる。
【００８３】
そして、通帳７０と磁気ヘッド２１との相対移動に伴って消磁する消磁開始処理、及び消磁停止処理（図７のステップＳ１２４から図８のステップＳ１４０の間）により、通帳処理装置１は、磁気トラック７２における磁気の一部を確実に消磁する、すわなち、磁気ストライプ７１の磁気情報を一部が欠損した状態にすることができる。  
これにより、通帳処理装置１は、磁気ヘッド２１の幅、及び磁気ストライプ７１の幅に関わらず、磁気ストライプ７１に記憶された磁気情報を確実に読み出し不可にすることができる。
【００８４】
さらに、磁気ヘッド２１が摺動方向Ｙへ一度だけ移動することにより、摺動方向Ｙに連続する波形軌跡となるため、幅狭の磁気ヘッド２１であっても、通帳処理装置１は、効率よく、かつ確実に磁気トラック７２の磁気を消磁することができる。  
従って、通帳処理装置１は、磁気ヘッド２１の幅、及び磁気ストライプ７１の幅に関わらず、磁気ストライプ７１の古い磁気情報を確実に読み出し不可にすることができる。
【００８５】
また、磁気情報消去処理を行ったのち、書込み処理を実行することにより、通帳処理装置１は、摺動方向Ｙとは逆方向に磁気ヘッド２１と磁気ストライプ７１とを相対移動する、すなわち磁気ヘッド２１を初期位置に戻す際に、新しい磁気情報を磁気ストライプ７１に書き込むことができる。
【００８６】
これにより、通帳処理装置１は、磁気ヘッド２１が一往復する間に、磁気ストライプ７１の消磁と、磁気ストライプ７１への新しい磁気情報の記憶とを行うことができる。  
従って、通帳処理装置１は、磁気ストライプ７１の消磁と書込みとをより効率よく行うことができる。
【００８７】
また、通帳７０と磁気ヘッド２１との摺動軌跡Ｇが略山型波形となるように、通帳７０と磁気ヘッド２１とを相対移動させることにより、通帳７０と磁気ヘッド２１との摺動軌跡Ｇは、磁気情報を記憶した磁気トラック７２を斜めに横断することができる。
【００８８】
このため、幅狭の磁気ヘッド２１であっても、通帳処理装置１は、磁気トラック７２の磁気を摺動方向Ｙの広い範囲で消磁することができる。  
従って、通帳処理装置１は、摺動軌跡Ｇが磁気トラック７２を横断する回数が一回であっても、磁気ストライプ７１の古い磁気情報を確実に読み出し不可にすることができる。
【００８９】
また、図６の通帳受付け処理におけるステップＳ１１５からステップＳ１１７において、第２検出センサ１４が通帳７０を検出しない位置まで、通帳７０を搬出方向Ｘｏに少しずつ搬送することにより、磁気ヘッド２１に対する磁気ストライプ７１の相対位置を所望する位置に容易に合わせることができる。
【００９０】
具体的には、磁気ストライプ７１の磁気情報を読み取る、あるいは書き込む際、磁気ストライプ７１と磁気ヘッド２１との相対位置を合わせる必要がある。  
ところが、例えば、検出範囲が広い第１検出センサ１３の場合、第１検出センサ１３から所定の搬送距離だけ通帳７０を搬送すると、搬送された通帳７０が停止した位置と磁気ヘッド２１との相対位置とが、通帳７０が搬送されるごとに僅かに異なることがある。
【００９１】
つまり、磁気ヘッド２１に対する磁気ストライプ７１の相対位置が所望する相対位置とならず、通帳処理装置１は、所望する位置で磁気ストライプ７１と磁気ヘッド２１とを摺動させることができないおそれがある。
【００９２】
そこで、第２検出センサ１４により、通帳処理装置１は、搬送された通帳７０を検出して搬送停止することができる。さらにこの際、例えば、第２検出センサ１４の検出範囲が広い場合、通帳処理装置１は、第２検出センサ１４に対する通帳７０の相対位置を正確に検出することが難しくなる。
【００９３】
このため、図６のステップＳ１１５からステップＳ１１７により、通帳処理装置１は、第２検出センサ１４に対する通帳７０の相対位置を合わせることで、磁気ヘッド２１に対する磁気ストライプ７１の相対位置を所望する位置に容易に合わせることができる。
【００９４】
これにより、通帳処理装置１は、磁気ストライプ７１と磁気ヘッド２１とを所望する位置でより確実に摺動させることができる。  
従って、通帳処理装置１は、第２検出センサ１４を備えるとともに、図６のステップＳ１１５からステップＳ１１７の処理により、磁気ヘッド２１が磁気ストライプ７１上を確実に摺動させることができる。
【００９５】
なお、上述の実施例１において、所定の長さを除いた仮想中心線ＣＬの範囲を１０分割して仮想分割点ＤＰ１からＤＰ１１を設定したが、これに限定せず、磁気ストライプ７１の長手方向で隣接する仮想分割点の間隔が、磁気トラック７２のトラック長さＬｍａｘの半分以下、より好ましくは磁気トラック７２のトラック長さＬｍａｘの半分未満であれば、適宜の分割数としてもよい。
【００９６】
また、磁気ヘッド２１を摺動方向Ｙに移動し、通帳７０を搬送方向に繰返し搬送することで、略山型波形の摺動軌跡Ｇとなるようにしたが、これに限定せず、通帳７０を固定し磁気ヘッド２１を摺動方向Ｙ及び搬送方向に移動させて、略山型波形の摺動軌跡Ｇとなるにしてもよい。
【００９７】
また、摺動軌跡Ｇを略山型波形としたが、これに限定せず、仮想分割点ＤＰ１からＤＰ１１、及び仮想頂点Ｐ１からＰ１０を通過する余弦波形、あるいは正弦波形などの摺動軌跡としてもよい。この際、通帳７０と磁気ヘッド２１との摺動軌跡Ｇにおける搬送方向の任意の位置において、磁気ストライプ７１の長手方向に隣接する二点間距離が、磁気トラック７２におけるトラック長さＬｍａｘ以下となるように磁気ヘッド２１と通帳７０とを相対移動させる。
【００９８】
また、図６のステップＳ１１５からステップＳ１１７において、通帳７０を搬出方向Ｘｏに向けて少しずつ移動したが、これに限定せず、通帳７０を搬入方向Ｘｉに向けて少しずつ移動する、あるいは、搬入方向Ｘｉ及び搬出方向Ｘｏに通帳７０を移動させて、第２検出センサ１４に対する通帳７０の相対位置を決定してもよい。
【実施例２】
【００９９】
次に上述の実施例１に対して、通帳処理装置１の主制御部６０における軌跡算出処理、及び磁気情報消去処理の動作が異なる実施例について、図１３から図１５を用いて詳しく説明する。  
なお、図１３は実施例２における摺動軌跡を底面視で説明する説明図を示し、図１４は実施例２における磁気情報消去処理の動作のフローチャートを示し、図１５は実施例２における磁気情報消去処理の動作のフローチャートを示している。
【０１００】
また、通帳処理装置１、及び通帳７０は、上述の実施例１と同一の構成のため、その詳細な説明を省略する。  
引き続き、このような構成の通帳処理装置１において、通帳７０の磁気ストライプ７１に記憶された磁気情報を書き換える動作について説明する。
【０１０１】
まず、上述の実施例１と同様に、自動取引装置などの電源が投入されると、上位制御部２の指示により、主制御部６０は、図５に示すように、利用者による通帳７０を受付けて処理する通帳処理を開始する。
【０１０２】
そして、通帳処理を開始すると、主制御部６０は、磁気ヘッド２１が初期位置にて待機しているか否かを判定する（ステップＳ１０１）。磁気ヘッド２１が初期位置で待機していなければ（ステップＳ１０１：Ｎｏ）、主制御部６０は、初期位置移動処理を実行したのち（ステップＳ１０２）、通帳受付け処理を実行する（ステップＳ１０３）。
【０１０３】
一方、磁気ヘッド２１が初期位置にて待機していれば（ステップＳ１０１：Ｙｅｓ）、主制御部６０は、通帳受付け処理を実行する（ステップＳ１０３）。なお、ステップＳ１０１からステップＳ１０３までは、上述の実施例１と同様の処理のため、詳細な説明を省略する。
【０１０４】
通帳受付け処理を終了すると、主制御部６０は、軌跡算出処理を実行し（ステップＳ１０４）、磁気ヘッド２１と磁気ストライプ７１との摺動軌跡を算出する。  
詳述すると、主制御部６０は、図１３（ａ）に示すように、磁気ストライプ７１の仮想二次平面を形成し、磁気ストライプ７１における短手方向の仮想中心線ＣＬと、磁気ストライプ７１における長手方向の縁辺との交点に対して、磁気ヘッド２１の初期位置側を仮想始点ＳＰと設定し、他方を仮想終点ＥＰと設定する。
【０１０５】
そして、主制御部６０は、仮想始点ＳＰ及び仮想終点ＥＰからそれぞれ所定の長さを除いた仮想中心線ＣＬの範囲を、複数に分割して仮想分割点を設定する。この際、主制御部６０は、磁気ストライプ７１の長手方向で隣接する仮想分割点の間隔Ｌ１（二点間距離）が、磁気トラック７２のトラック長さＬｍａｘ（図４参照）以下、より好ましくは磁気トラック７２のトラック長さＬｍａｘ未満となる分割数で分割する。ここでは、主制御部６０は、所定の長さを除いた仮想中心線ＣＬの範囲を分割数１０で分割し、仮想分割点に対して仮想始点ＳＰ側から順に仮想分割点ＤＰ１からＤＰ１１を設定する。
【０１０６】
仮想分割点ＤＰ１からＤＰ１１を設定すると、主制御部６０は、仮想分割点ＤＰ１を通る仮想中心線ＣＬに対する仮想垂線（図示省略）と、磁気ストライプ７１における搬出方向Ｘｏ側の縁辺との交点までの搬送距離、及び磁気ストライプ７１の長手方向における仮想分割点間の搬送距離を算出する。  
軌跡算出処理を終了すると、主制御部６０は、書き込み情報準備処理を実行し（ステップＳ１０５）、磁気ストライプ７１に書き込む所定の情報を、磁気解析部２４において変換させる。
【０１０７】
書き込み情報準備処理を実行したのち、主制御部６０は、磁気ストライプ７１に書き込まれた磁気トラック７２の磁気情報を読み出し不可にする磁気情報消去処理を実行する（ステップＳ１０６）。  
より詳しくは、磁気情報消去処理を実行すると、主制御部６０は、図１４及び図１５に示すように、カウンタｎを「０」にセットすると（ステップＳ２０１）、磁気ヘッド２１を摺動方向Ｙに向けて磁気読取り書込み部２０に移動開始させる磁気ヘッド送り開始処理を実行する（ステップＳ２０２）。
【０１０８】
そして、主制御部６０は、仮想始点ＳＰに対応する磁気ストライプ７１の位置に磁気ヘッド２１が到達したか否かを判定する（ステップＳ２０３）。仮想始点ＳＰに対応する磁気ストライプ７１の位置に磁気ヘッド２１が到達していなければ（ステップＳ２０３：Ｎｏ）、主制御部６０は、仮想始点ＳＰに対応する磁気ストライプ７１の位置に磁気ヘッド２１が到達するまで処理を待機する。
【０１０９】
仮想始点ＳＰに対応する磁気ストライプ７１の位置に磁気ヘッド２１が到達すると（ステップＳ２０３：Ｙｅｓ）、主制御部６０は、消磁開始処理を実行する（ステップＳ２０４）。詳しくは、主制御部６０の指示により、ヘッド制御部２５は、磁気ストライプ７１の磁気を消磁可能な所定の電流を磁気ヘッド２１に対して印加して磁界を発生させる。
【０１１０】
消磁開始処理を実行すると、主制御部６０は、仮想分割点ＤＰ１に対応する磁気ストライプ７１の位置に磁気ヘッド２１が到達したか否かを判定する（ステップＳ２０５）。仮想分割点ＤＰ１に対応する磁気ストライプ７１の位置に磁気ヘッド２１が到達していなければ（ステップＳ２０５：Ｎｏ）、主制御部６０は、仮想分割点ＤＰ１に対応する磁気ストライプ７１の位置に磁気ヘッド２１が到達するまで処理を待機する。
【０１１１】
一方、仮想分割点ＤＰ１に対応する磁気ストライプ７１の位置に磁気ヘッド２１が到達すると（ステップＳ２０５：Ｙｅｓ）、主制御部６０は、摺動方向Ｙへの磁気ヘッド２１の移動を磁気読取り書込み部２０に停止させる磁気ヘッド送り停止処理を実行し（ステップＳ２０６）、カウンタｎに「１」を加算する（ステップＳ２０７）。
【０１１２】
その後、主制御部６０は、通帳搬出移動開始処理を実行し（ステップＳ２０８）、搬出方向Ｘｏへの通帳７０の搬送を搬送機構部１０に開始させる。そして、主制御部６０は、磁気ストライプ７１の搬出方向Ｘｏ側における縁辺に磁気ヘッド２１が到達したか否かを判定する（ステップＳ２０９）。
【０１１３】
磁気ストライプ７１の搬出方向Ｘｏ側における縁辺に磁気ヘッド２１が到達していなければ（ステップＳ２０９：Ｎｏ）、主制御部６０は、磁気ストライプ７１の搬出方向Ｘｏ側における縁辺に磁気ヘッド２１が到達するまで処理を待機する。
【０１１４】
一方、磁気ストライプ７１の搬出方向Ｘｏ側における縁辺に磁気ヘッド２１が到達すると（ステップＳ２０９：Ｙｅｓ）、主制御部６０は、通帳搬出移動停止処理を実行し（ステップＳ２１０）、搬出方向Ｘｏへの通帳７０の搬送を搬送機構部１０に停止させる。
【０１１５】
通帳７０の搬送を停止すると、主制御部６０は、磁気ヘッド送り開始処理を実行し（ステップＳ２１１）、停止していた磁気ヘッド２１の摺動方向Ｙへの移動を磁気読取り書込み部２０に再開させる。その後、主制御部６０は、搬出方向Ｘｏにおいて、仮想分割点ＤＰ（ｎ＋１）を通る仮想中心線ＣＬに対する仮想垂線上に磁気ヘッド２１が位置しているか否かを判定する（ステップＳ２１２）。ここでは、カウンタｎが「１」のため、仮想分割点ＤＰ２を通る仮想垂線上に磁気ヘッド２１が位置しているか否かを判定する。
【０１１６】
仮想分割点ＤＰ２を通る仮想垂線上に磁気ヘッド２１が位置していなければ（ステップＳ２１２：Ｎｏ）、主制御部６０は、仮想分割点ＤＰ２を通る仮想垂線上に磁気ヘッド２１が位置するまで処理を待機する。  
一方、仮想分割点ＤＰ２を通る仮想垂線上に磁気ヘッド２１が位置すると（ステップＳ２１２：Ｙｅｓ）、主制御部６０は、摺動方向Ｙへの磁気ヘッド２１の移動を磁気読取り書込み部２０に停止させる磁気ヘッド送り停止処理を実行し（ステップＳ２１３）、カウンタｎに「１」を加算する（ステップＳ２１４）。
【０１１７】
そして、主制御部６０は、通帳搬入移動開始処理を実行し（ステップＳ２１５）、搬入方向Ｘｉへの通帳７０の搬送を搬送機構部１０に開始させる。  
その後、主制御部６０は、カウンタｎが分割数１０と一致するか否かを判定する（ステップＳ２１６）。カウンタｎが分割数１０と一致しなければ（ステップＳ２１６：Ｎｏ）、主制御部６０は、仮想分割点ＤＰ１０に対応する磁気ストライプ７１の位置を磁気ヘッド２１が通過していないと判定し、通帳７０の搬送を継続する。
【０１１８】
そして、主制御部６０は、磁気ストライプ７１の搬入方向Ｘｉ側における縁辺に磁気ヘッド２１が到達したか否かを判定する（ステップＳ２１７）。  
磁気ストライプ７１の搬入方向Ｘｉ側における縁辺に磁気ヘッド２１が到達していなければ（ステップＳ２１７：Ｎｏ）、主制御部６０は、磁気ストライプ７１の搬入方向Ｘｉ側における縁辺に磁気ヘッド２１が到達するまで処理を待機する。
【０１１９】
一方、磁気ストライプ７１の搬入方向Ｘｉ側における縁辺に磁気ヘッド２１が到達すると（ステップＳ２１７：Ｙｅｓ）、主制御部６０は、通帳搬入移動停止処理を実行し（ステップＳ２１８）、搬入方向Ｘｉへの通帳７０の搬送を搬送機構部１０に停止させる。
【０１２０】
通帳７０の搬送を停止すると、主制御部６０は、磁気ヘッド送り移動処理を実行し（ステップＳ２１９）、停止していた磁気ヘッド２１の摺動方向Ｙへの移動を磁気読取り書込み部２０に再開させる。その後、主制御部６０は、搬入方向Ｘｉにおいて、仮想分割点ＤＰ（ｎ＋１）を通る仮想中心線ＣＬに対する仮想垂線上に磁気ヘッド２１が位置しているか否かを判定する（ステップＳ２２０）。ここでは、カウンタｎが「２」のため、仮想分割点ＤＰ３を通る仮想垂線上に磁気ヘッド２１が位置しているか否かを判定する。
【０１２１】
仮想分割点ＤＰ３を通る仮想垂線上に磁気ヘッド２１が位置していなければ（ステップＳ２２０：Ｎｏ）、主制御部６０は、仮想分割点ＤＰ３を通る仮想垂線上に磁気ヘッド２１が位置するまで処理を待機する。
【０１２２】
一方、仮想分割点ＤＰ３を通る仮想垂線上に磁気ヘッド２１が位置すると（ステップＳ２２０：Ｙｅｓ）、主制御部６０は、摺動方向Ｙへの磁気ヘッド２１の移動を磁気読取り書込み部２０に停止させる磁気ヘッド移動停止処理を実行し（ステップＳ２２１）、カウンタｎに「１」を加算する（ステップＳ２２２）。  
そして、主制御部６０は、通帳搬出移動開始処理を実行し（ステップＳ２２３）、搬出方向Ｘｏへの通帳７０の搬送を搬送機構部１０に開始させる。
【０１２３】
その後、主制御部６０は、カウンタｎが分割数１０と一致するか否かを判定する（ステップＳ２２４）。カウンタｎが分割数１０と一致しなければ（ステップＳ２２４：Ｎｏ）、主制御部６０は、仮想分割点ＤＰ１０に対応する磁気ストライプ７１の位置を磁気ヘッド２１が通過していないと判定し、処理をステップＳ２０９に戻す。すなわち、主制御部６０は、カウンタｎが分割数１０と一致するまで、ステップＳ２０９からステップＳ２２４までの処理を繰返し行う。
【０１２４】
そして、ステップＳ２１６においてカウンタｎと分割数１０とが一致すると（ステップＳ２１６：Ｙｅｓ）、あるいはステップＳ２２４においてカウンタｎと分割数１０とが一致すると（ステップＳ２２４：Ｙｅｓ）、主制御部６０は、仮想分割点ＤＰ１０に対応する磁気ストライプ７１の位置を磁気ヘッド２１が通過したと判定する。
【０１２５】
その後、主制御部６０は、仮想分割点ＤＰ１１に対応する磁気ストライプ７１の位置に磁気ヘッド２１が到達したか否かを判定する（ステップＳ２２５）。  
仮想分割点ＤＰ１１に対応する磁気ストライプ７１の位置に磁気ヘッド２１が到達していなければ（ステップＳ２２５：Ｎｏ）、主制御部６０は、仮想分割点ＤＰ１１に対応する磁気ストライプ７１の位置に磁気ヘッド２１が到達するまで処理を待機する。
【０１２６】
仮想分割点ＤＰ１１に対応する磁気ストライプ７１の位置に磁気ヘッド２１が到達すると（ステップＳ２２５：Ｙｅｓ）、主制御部６０は、通帳７０の搬入方向Ｘｉへの搬送、あるいは搬出方向Ｘｏへの搬送を搬送機構部１０に停止させる通帳搬送停止処理を実行する（ステップＳ２２６）。  
通帳７０の搬送を停止すると、主制御部６０は、磁気ヘッド送り開始処理を実行し（ステップＳ２２７）、停止していた磁気ヘッド２１の摺動方向Ｙへの移動を磁気読取り書込み部２０に再開させる。
【０１２７】
その後、主制御部６０は、仮想終点ＥＰに対応する磁気ストライプ７１の位置に磁気ヘッド２１が到達したか否かを判定する（ステップＳ２２８）。仮想終点ＥＰに対応する磁気ストライプ７１の位置に磁気ヘッド２１が到達していなければ（ステップＳ２２８：Ｎｏ）、主制御部６０は、仮想終点ＥＰに対応する磁気ストライプ７１の位置に磁気ヘッド２１が到達するまで処理を待機する。
【０１２８】
一方、仮想終点ＥＰに対応する磁気ストライプ７１の位置に磁気ヘッド２１が到達すると（ステップＳ２２８：Ｙｅｓ）、主制御部６０は、磁気ヘッド送り停止処理を実行し（ステップＳ２２９）、磁気ヘッド２１の摺動方向Ｙへの移動を磁気読取り書込み部２０に停止させる。さらに、主制御部６０は、消磁停止処理を実行し（ステップＳ２３０）、磁気ヘッド２１に対する電流の印加を磁気読取り書込み部２０に停止させたのち、磁気情報消去処理を終了する。
【０１２９】
このようにして、磁気ヘッド２１と通帳７０とが相対移動した際における磁気ヘッド２１と磁気ストライプ７１との摺動軌跡Ｇ（摺動軌跡）は、図１３（ｂ）に示すように、仮想分割点ＤＰ１から仮想分割点ＤＰ１１の間において、摺動方向Ｙに延びる略矩形波形となる。
【０１３０】
そして、磁気ヘッド２１が仮想始点ＳＰから仮想終点ＥＰに移動する間、磁気ヘッド２１を介して消磁が行われているため、磁気トラック７２は、図１３（ｃ）に示すように、略矩形波形の摺動軌跡Ｇによって部分的に磁気が消磁された状態となる。
【０１３１】
図５のステップＳ１０６に戻り、磁気情報消去処理を終了すると、主制御部６０は、書込み処理を開始し（ステップＳ１０７）、磁気ストライプ７１に新しい磁気情報を記憶したのち、通帳処理を終了する。なお、ステップＳ１０７は、上述した実施例１におけるステップＳ１０７と同様の処理のため、詳しい説明を省略する。
【０１３２】
以上のような動作を実現する通帳処理装置１、通帳処理方法、及び通帳処理プログラムは、通帳７０と磁気ヘッド２１との摺動軌跡Ｇが略矩形波形となるように、通帳７０と磁気ヘッド２１とを相対移動させることにより、通帳７０と磁気ヘッド２１との相対移動の制御をより容易にすることができる。
【０１３３】
具体的には、実施例１のように摺動軌跡Ｇが略山型波形の場合、通帳処理装置１は、磁気ストライプ７１の長手方向における位置が異なる仮想頂点Ｐ１と、仮想頂点Ｐ２とをそれぞれ算出するとともに、磁気ヘッド２１及び通帳７０の相対移動にかかる移動制御を算出する必要がある。
【０１３４】
これに対して、通帳７０と磁気ヘッド２１との摺動軌跡Ｇが略矩形波形の場合、通帳処理装置１は、磁気ストライプ７１における搬出方向Ｘｏ側の縁辺を磁気ヘッド２１が通過する位置と、磁気ストライプ７１における搬入方向Ｘｉ側の縁辺を磁気ヘッド２１が通過する位置とを、磁気ストライプ７１の長手方向において略同一位置にすることができる。
【０１３５】
このため、摺動軌跡Ｇを略矩形波形にすることで、通帳処理装置１は、摺動軌跡Ｇを略山型波形とした場合と比べて、通帳７０と磁気ヘッド２１との相対移動が単純になるため、相対移動にかかる移動制御を容易にすることができる。  
従って、通帳処理装置１は、通帳７０と磁気ヘッド２１との相対移動の制御をより容易にするとともに、磁気ストライプ７１の古い磁気情報を確実に読み出し不可にすることができる。
【０１３６】
なお、上述の実施例２において、所定の長さを除いた仮想中心線ＣＬの範囲を１０分割して仮想分割点ＤＰ１からＤＰ１１を設定したが、これに限定せず、磁気ストライプ７１の長手方向で隣接する仮想分割点の間隔Ｌ１が、磁気トラック７２のトラック長さＬｍａｘ以下、より好ましくは磁気トラック７２のトラック長さＬｍａｘ未満であれば、適宜の分割数としてもよい。
【０１３７】
また、磁気ヘッド２１を摺動方向Ｙに移動し、通帳７０を搬送方向に搬送することで、略矩形波形の摺動軌跡Ｇとなるようにしたが、これに限定せず、通帳７０を固定し磁気ヘッド２１を摺動方向Ｙ及び搬送方向に移動させて、略矩形波形の摺動軌跡Ｇとなるにしてもよい。
【０１３８】
また、上述の実施例１及び実施例２において、仮想始点ＳＰ及び仮想終点ＥＰからそれぞれ所定の長さを除いた仮想中心線ＣＬの範囲を分割して仮想分割点を設定したが、これに限定せず、仮想始点ＳＰから仮想終点ＥＰの範囲を分割して仮想分割点を設定してもよい。  
また、磁気ヘッド２１と磁気ストライプ７１との摺動軌跡Ｇを、仮想中心線ＣＬを分割して算出したが、これに限定せず、適宜の方法で摺動軌跡Ｇを算出してもよい。
【０１３９】
また、間隔Ｌ１及び間隔Ｌ２が等間隔の山型波形、あるいは間隔Ｌ１が等間隔の矩形波形の摺動軌跡Ｇとしたが、これに限定せず、磁気ストライプ７１における短手方向の任意の位置において、磁気ストライプ７１の長手方向に隣接する摺動軌跡Ｇの二点間距離がトラック長さＬｍａｘ以下であれば、適宜の摺動軌跡としてもよい。
【０１４０】
例えば、別の摺動軌跡Ｇを説明する説明図を示す図１６のように、磁気トラック７２が所定の範囲Ｅ１に位置する磁気ストライプ７１において、所定の範囲Ｅ１では磁気ストライプ７１の長手方向に隣接する摺動軌跡Ｇの二点間距離を狭くし、所定の範囲Ｅ２では磁気ストライプ７１の長手方向に隣接する摺動軌跡Ｇの二点間距離を広くしてもよい。
【０１４１】
これにより、例えば、磁気ストライプ７１における所定の範囲Ｅ１内に磁気情報を書き込むよう規定された通帳７０、及び通帳処理装置１の場合、磁気ストライプ７１における所定の範囲Ｅ１を集中的に消磁することで、通帳処理装置１は、より確実に磁気情報の読み出しを不可にすることができる。一方、所定の範囲Ｅ２では磁気ストライプ７１の長手方向に隣接する摺動軌跡Ｇの二点間距離を広くすることで、通帳処理装置１は、磁気ストライプ７１の消磁に要する時間を短縮でき、効率よく消磁を行うことができる。
【実施例３】
【０１４２】
次に、上述の実施例１で説明した通帳処理装置１をおいて、磁気ストライプ７１の磁化状態を確認する動作について、図１７から図２２を用いて詳しく説明する。  
なお、図１７は実施例３の磁気テーブル８０（磁気テーブル）を説明する説明図を示し、図１８は実施例３の磁化確認処理における動作のフローチャートを示し、図１９は実施例３の磁気解析処理における動作のフローチャートを示し、図２０は実施例３の磁気ストライプ７１における磁化状態を説明する説明図を示し、図２１は実施例３の印刷処理における動作のフローチャートを示し、図２２は実施例３の磁気テーブル８０の内容を通帳７０（所定の紙葉類）に印刷した印刷状態を説明する説明図を示している。
【０１４３】
また、上述の実施例１と同じ構成は、同じ符号を付して、その詳細な説明を省略する。  
上述の実施例１に対して、実施例３における通帳処理装置１の記憶部４０には、図１７に示すように、磁気ストライプ７１の磁化状態を登録した磁気テーブル８０を記憶している。
【０１４４】
この磁気テーブル８０は、磁気ストライプ７１の短手方向における任意の位置（検出位置）を示す読取り位置欄と、磁気ストライプ７１の長手方向に沿って走査した際の磁化状態を示す磁化状態欄とで構成し、読取り位置と磁化状態とを関連付けて登録している。  
なお、読取り位置欄には、任意の位置を搬出方向Ｘｏの順番で登録している。  
磁化状態欄には、摺動方向Ｙに沿って走査した順に、磁気ストライプ７１の磁化状態を二値化して登録している。
【０１４５】
引続き、通帳処理装置１における磁気ストライプ７１の磁化状態を確認する動作について説明する。  
まず、行員などによって通帳処理装置１の保守モード切替部５０が押下されると、主制御部６０は、図１８に示すように、通帳７０の磁化状態を確認する磁化確認処理を開始する。
【０１４６】
磁化確認処理を開始すると、磁気ヘッド２１が初期位置にて待機しているか否かを判定する（ステップＳ３０１）。磁気ヘッド２１が初期位置で待機していなければ（ステップＳ３０１：Ｎｏ）、主制御部６０は、初期位置移動処理を実行して（ステップＳ３０２）、処理をステップＳ３０３に進める。なお、初期位置移動処理は、上述の実施例１における図５のステップＳ１０２と同様の処理のため、詳細な説明を省略する。
【０１４７】
一方、磁気ヘッド２１が初期位置にて待機していれば（ステップＳ３０１：Ｙｅｓ）、主制御部６０は、通帳受付け処理を実行する（ステップＳ３０３）。なお、通帳受付け処理は、上述の実施例１における図５のステップＳ１０３と同様の処理のため、その詳細な説明を省略する
搬入方向Ｘｉにおいて、磁気ストライプ７１の中心と磁気ヘッド２１の中心とが略同位置となる位置まで通帳７０を搬入方向Ｘｉに搬送すると、主制御部６０は、磁気解析処理を実行する（ステップＳ３０４）。  
磁気解析処理を開始すると、主制御部６０は、図１９に示すように、磁気ストライプ７１を走査する際の読取り位置を算出する読取り位置演算処理を実行する（ステップＳ３１１）。
【０１４８】
詳述すると、主制御部６０は、磁気ストライプ７１の幅と、磁気ヘッド２１の幅から、磁気ストライプ７１を走査する短手方向の任意の位置を算出する。ここでは、主制御部６０は、図２０（ａ）に示すように、磁気ヘッド２１の幅に対して磁気ストライプ７１の幅が約３倍のため、磁気ヘッド２１の幅中心が通過する読取り位置Ｎｏ１，Ｎｏ２，Ｎｏ３を設定する。
【０１４９】
読取り位置を設定すると、主制御部６０は、通帳読取り位置移動処理を実行し（ステップＳ３１２）、搬送方向において、磁気ヘッド２１の幅中心と読取り位置Ｎｏ１とが略同位置となる位置まで、搬出方向Ｘｏに向けて通帳７０を搬送機構部１０に搬送させる。  
その後、主制御部６０は、磁気ヘッド送り移動処理を実行し（ステップＳ３１３）、摺動方向Ｙへ向けて磁気ヘッド２１を磁気読取り書込み部２０に移動させる。
【０１５０】
磁気ヘッド２１が摺動方向Ｙに移動開始すると、主制御部６０は、磁気ストライプ７１の長手方向における縁辺に磁気ヘッド２１が到達したか否かを判定する（ステップＳ３１４）。磁気ストライプ７１の長手方向における縁辺に磁気ヘッド２１が到達していなければ（ステップＳ３１４：Ｎｏ）、主制御部６０は、磁気ストライプ７１の長手方向における縁辺に磁気ヘッド２１が到達するまで処理を待機する。
【０１５１】
一方、磁気ストライプ７１の長手方向における縁辺に磁気ヘッド２１が到達すると（ステップＳ３１４：Ｙｅｓ）、主制御部６０は、磁気ストライプ７１の磁化状態を走査する走査処理を実行する（ステップＳ３１５）。磁気ストライプ７１を走査した磁気ヘッド２１から出力された出力信号は、主制御部６０を介して磁気解析部２４に磁化データとして順次、一時記憶される。
【０１５２】
読取り位置Ｎｏ１における磁気ストライプ７１の走査が完了すると、主制御部６０は、一時記憶した磁化データに基づいて、磁気ストライプ７１の磁化状態を磁気解析部２４に解析させる解析処理を実行する（ステップＳ３１６）。この際、主制御部６０の指示により、磁気解析部２４は、磁化データに基づいて、摺動方向Ｙの順番（検出位置）で磁気の有無を１つずつ解析する。
【０１５３】
そして、主制御部６０は、解析した結果に基づいて摺動方向Ｙのおける磁気の有無を磁気解析部２４に判定させる（ステップＳ３１７）。磁気を検出すると（ステップＳ３１７：Ｙｅｓ）、主制御部６０は、磁気テーブル８０の読取り位置欄「１」における磁化状態欄に磁化していることを示す「１」（検出情報）を登録する（ステップＳ３１８）。  
一方、磁気を検出できなければ（ステップＳ３１７：Ｎｏ）、主制御部６０は、磁気テーブル８０の読取り位置欄「１」における磁化状態欄に磁化していないことを示す「０」（検出情報）を登録する（ステップＳ３１９）。
【０１５４】
磁気テーブル８０の磁化状態欄に「１」または「０」を登録すると、主制御部６０は、読取り位置Ｎｏ１における解析が完了したか否かを判定する（ステップＳ３２０）。読取り位置Ｎｏ１における解析が完了していなければ（ステップＳ３２０：Ｎｏ）、主制御部６０は、処理をステップＳ３１６に戻す。
【０１５５】
読取り位置Ｎｏ１における解析が完了すると（ステップＳ３２０：Ｙｅｓ）、主制御部６０は、全ての読取り位置における磁気ストライプ７１の走査、解析が完了したか否かを判定する（ステップＳ３２１）。全ての読取り位置における磁気ストライプ７１の走査、解析が完了していなければ（ステップＳ３２１：Ｎｏ）、主制御部６０は、磁気ヘッド戻り移動処理を実行し（ステップＳ３２２）、摺動方向Ｙとは逆方向へ向けて磁気ヘッド２１を磁気読取り書込み部２０に移動させて初期位置に戻させる。
【０１５６】
磁気ヘッド２１が初期位置に戻ると、主制御部６０は、処理をステップＳ３１２に戻して、通帳読取り位置移動処理を実行し、磁気ヘッド２１の中心と次の読取り位置Ｎｏ２とが略同位置となる位置まで、搬出方向Ｘｏに向けて通帳７０を搬送機構部１０に搬送させる。
【０１５７】
このようにして、全ての読取り位置Ｎｏ１，Ｎｏ２，Ｎｏ３における磁気ストライプ７１の走査、解析が完了するまでステップＳ３１２からステップＳ３２２までの処理を繰返し行う。  
ステップＳ３２１において、全ての読取り位置における磁気ストライプ７１の走査、解析が完了すると（ステップＳ３２１：Ｙｅｓ）、主制御部６０は、磁気解析処理を終了し、処理を図１８のステップＳ３０４に戻す。
【０１５８】
ここで、例えば、読取り位置Ｎｏ１を走査、解析した場合、磁気トラック７２が存在しないため、磁気解析部２４は、図２０（ｂ）に示すように、磁気を何ら検出しない。一方、読取り位置Ｎｏ３を走査、解析した場合、部分的に消磁された磁気トラック７２が存在するため、磁気解析部２４は、図２０（ｃ）に示すように、検出位置Ｒ１と検出位置Ｒ２との間、検出位置Ｒ３と検出位置Ｒ４との間、及び検出位置Ｒ５と検出位置Ｒ６との間において、磁気を検出する。主制御部６０は、これに基づいて磁気テーブル８０に磁気の有無を登録する。
【０１５９】
図１８のステップＳ３０４に戻り、磁気解析処理が終了すると、主制御部６０は、磁気テーブル８０に登録された磁化状態を通帳７０に印刷する印刷処理を実行する（ステップＳ３０５）。  
詳しくは、印刷処理を開始すると、主制御部６０は、図２１に示すように、磁気テーブル読込み処理を実行し（ステップＳ３３１）、記憶部４０から磁気テーブル８０を読み出して一時記憶する。その後、主制御部６０は、カウンタｎを「１」に設定する（ステップＳ３３２）。
【０１６０】
カウンタｎを設定すると、主制御部６０は、通帳印刷位置移動処理を実行し（ステップＳ３３３）、通帳７０における磁化状態を印刷する箇所が印刷部３０の直下に位置するように、搬入方向Ｘｉへ向けて通帳７０を搬送機構部１０に搬送させる。
【０１６１】
通帳７０の搬送が完了すると、主制御部６０は、印刷開始処理を実行し（ステップＳ３３４）、印刷部３０を摺動方向Ｙに沿って移動させるとともに、カウンタｎと同数の読取り位置欄に対応する磁化状態欄の内容に基づいて印刷を開始する。
【０１６２】
この際、主制御部６０は、磁気テーブル８０の磁化状態欄に登録された値が「０」であるか否かを判定する（ステップＳ３３５）。磁化状態欄に登録された値が「０」である場合（ステップＳ３３５：Ｙｅｓ）、主制御部６０は、細線印刷処理を実行し（ステップＳ３３６）、磁化していないことを示す細線で通帳７０に印刷する。  
一方、磁化状態欄に登録された値が「０」でない場合（ステップＳ３３５：Ｎｏ）、主制御部６０は、太線印刷処理を実行し（ステップＳ３３７）、磁化していることを示す太線で通帳７０に印刷する。
【０１６３】
その後、主制御部６０は、読取り位置における磁化状態の印刷が完了したか否かを判定する（ステップＳ３３８）。読取り位置欄における磁化状態の印刷が完了していなければ（ステップＳ３３８：Ｎｏ）、主制御部６０は、処理をステップＳ３３５に戻して読取り位置における磁化状態の印刷が完了するまで、ステップＳ３３５からステップＳ３３８を繰返し処理する。
【０１６４】
読取り位置欄における磁化状態の印刷が完了すると（ステップＳ３３８：Ｙｅｓ）、主制御部６０は、印刷停止処理を実行し（ステップＳ３３９）、通帳７０への印刷を停止するとともに、印刷部３０を初期位置に戻す。
【０１６５】
そして、主制御部６０は、磁気テーブルの読取り位置欄に登録されている登録数とカウンタｎとが同数であるか否かを判定する（ステップＳ３４０）。磁気テーブルの読取り位置欄に登録されている登録数とカウンタｎとが同数でなければ（ステップＳ３４０：Ｎｏ）、主制御部６０は、全ての印刷が完了していないと判定する。
【０１６６】
その後、主制御部６０は、カウンタｎに「１」を加算して（ステップＳ３４１）、処理をステップＳ３３３に戻して、搬入方向Ｘｉへ向けて通帳７０の搬送を搬送機構部１０に搬送させ、カウンタｎと同数の読取り位置欄に対応する磁化状態欄の内容に基づいて印刷を開始する。
【０１６７】
一方、ステップＳ３４０において、磁気テーブル８０の読取り位置欄に登録されている登録数とカウンタｎとが同数であれば（ステップＳ３４０：Ｙｅｓ）、主制御部６０は、全ての印刷が完了したと判定し、印刷処理を終了し、処理を図１８のステップＳ３０５に戻す。
【０１６８】
このようにして磁気テーブル８０を印刷すると、通帳７０には、図２２に示すように、磁気テーブル８０の読取り位置欄「１」における磁化状態欄が全て「０」のため細線７４で印刷され、読取り位置欄「２」の磁化状態欄が全て「０」のため、細線７４で印刷される。
【０１６９】
さらに、通帳７０には、読取り位置欄「３」の磁化状態欄における「０」が細線７４で印刷され、磁化状態欄における「１」が太線７５で印刷される。つまり、この太線７５が、上述した検出位置Ｒ１と検出位置Ｒ２との間、検出位置Ｒ３と検出位置Ｒ４との間、及び検出位置Ｒ５と検出位置Ｒ６との間において検出した磁気を示している。  
図１８のステップＳ３０５に戻り、印刷処理が終了すると、主制御部６０は、磁化確認処理を終了する。
【０１７０】
以上のような動作を実現する通帳処理装置１、通帳処理方法、及び通帳処理プログラムは、読み出し可能な磁気情報が磁気ストライプ７１に記憶されているか否かの判定を容易にすることができる。  
具体的には、図１９のステップＳ３１５、及びステップＳ３１６で、磁気ストライプ７１を走査して磁気を検出し、ステップＳ３１７からステップＳ３１９で磁気テーブル８０に登録することにより、通帳処理装置１は、磁気ストライプ７１の磁化状態を磁気テーブル８０に登録することができる。このため、例えば、磁気テーブル８０の磁化状態欄に、磁気トラック７２のトラック長さＬｍａｘ相当だけ連続して「１」が登録されていれば、磁気ストライプ７１に読み出し可能な磁気情報が記憶されていると判別できる。
【０１７１】
一方、磁気テーブル８０の磁化状態欄に、磁気トラック７２のトラック長さＬｍａｘ相当連続して「１」が登録されていなければ、磁気ストライプ７１に読み出し不可な磁気情報が記憶されていると判別できる。  
従って、通帳処理装置１は、磁気ストライプ７１を走査した結果を磁気テーブル８０に登録することにより、読み出し可能な磁気情報が磁気ストライプ７１に記憶されているか否かの判定を容易にすることができる。
【０１７２】
また、磁気テーブル８０に基づいて、通帳７０に磁化状態を印刷する印刷処理を備えたことにより、通帳処理装置１は、例えば、行員などに対して、磁気ストライプ７１の磁化状態を視覚的に示すことができる。このため、通帳処理装置１は、行員などの目視によって、磁気情報が読み出し可能である否かの判定を容易にすることができる。
【０１７３】
なお、上述の実施例３において、実施例１における通帳７０の磁化状態を確認したが、実施例２における通帳７０の磁化状態に適用してもよい。  
また、印刷部３０を摺動方向Ｙに移動する構成としたが、摺動方向Ｙ及び搬送方向に移動する構成としてもよい。
【０１７４】
また、保守モード切替部５０が押下されることで、磁化確認処理を開始して、磁気解析処理を実行したが、これに限定せず、上位制御部２の指示により、磁気解析処理を実行する構成としてもよい。例えば、図５の通帳処理における磁気情報消去処理後、上位制御部２の指示により、磁気解析処理を実行して、磁気ストライプ７１の磁化状態を確認したのち、書込み処理を行うようにしてもよい。これにより、通帳処理装置１は、磁気ストライプの古い磁気情報を確実に読み出し不可することができる。
【０１７５】
また、磁気ヘッド２１における搬送方向の大きさに応じて、読取り位置Ｎｏ１，Ｎｏ２，Ｎｏ３を設定したが、これに限定せず、搬送方向における任意の位置を読取り位置に設定してもよい。  
また、磁気ストライプ７１の磁化状態を磁気テーブル８０の磁化状態欄に「０」または「１」で登録したが、これに限定せず、磁化状態が識別できる内容であれば適宜の内容としてもよい。例えば、摺動方向Ｙにおける磁化している範囲の長さ、または磁化していない範囲の長さを登録する構成としてもよい。
【０１７６】
また、保守モード切替部５０が押下されることで、磁化確認処理を開始して、印刷処理を実行したが、これに限定せず、上位制御部２の指示により、印刷処理を実行する構成としてもよい。  
また、印刷処理により視覚的に磁化状態を確認したが、これに限定せず、磁気テーブル８０に基づいて、主制御部６０、または上位制御部２において磁化状態を判定する構成としてもよい。
【０１７７】
また、磁気テーブル８０の内容を通帳７０に印刷したが、これに限定せず、専用紙などに印刷してもよい。  
また、磁気テーブル８０の内容を細線及び太線にて印刷したが、これに限定せず、磁気テーブル８０の内容を通帳７０や専用紙などに直接、文字あるいは数字などで印刷してもよい。
【０１７８】
また、図２１のステップＳ３３４からステップＳ３３７において、磁気テーブル８０の磁化状態欄の「０」または「１」を順番に判定して印刷したが、これに限定せず、磁化状態欄を全て参照したのち、連続する「０」、または「１」に相当する長さの細線、または太線を印刷するようにしてもよい。
【０１７９】
また、上述の実施例１、実施例２、及び実施例３において、自動取引装置などに内装される通帳処理装置１、及び通帳７０を用いて説明したが、これに限定せず、磁気ストライプ７１が貼付された媒体、及びこれを受付けて処理する装置であれば、適宜の装置、及び媒体としてもよい。
【０１８０】
例えば、磁気ストライプが貼付されたキャッシュカードと、カード処理装置とであってもよい。あるいは、磁気ストライプが貼付された被爆記録帳と、被爆記録帳に原子力施設で就労する作業員の放射線被爆量を記録する装置とであってもよい。
【０１８１】
また、搬送方向を短手方向とする磁気ストライプ７１としたが、これに限定せず、搬送方向を長手方向とする磁気ストライプ７１としてもよい。この際、磁気ヘッド２１を固定して、磁気ストライプ７１の長手方向に沿って磁気ヘッド２１を摺動させる摺動機構部を搬送機構部１０で構成してもよい。
【符号の説明】
【０１８２】
１…通帳処理装置
１０…搬送機構部
１３…第１検出センサ
１４…第２検出センサ
２１…磁気ヘッド
２２…ヘッド摺動部
２３…摺動モーター
２５…ヘッド制御部
３０…印刷部
４０…記憶部
６０…主制御部
７０…通帳
７１…磁気ストライプ
７２…磁気トラック
７３…磁気トラック
８０…磁気テーブル
Ｇ…摺動軌跡
Ｌｍａｘ…トラック長さ
Ｌ１…間隔
Ｌ２…間隔
Ｘｏ…搬出方向
Ｘｉ…搬入方向
Ｙ…摺動方向
【図１】
2014229041.tif 000003
【図２】
2014229041.tif 000004
【図３】
2014229041.tif 000005
【図４】
2014229041.tif 000006
【図５】
2014229041.tif 000007
【図６】
2014229041.tif 000008
【図７】
2014229041.tif 000009
【図８】
2014229041.tif 000010
【図９】
2014229041.tif 000011
【図１０】
2014229041.tif 000012
【図１１】
2014229041.tif 000013
【図１２】
2014229041.tif 000014
【図１３】
2014229041.tif 000015
【図１４】
2014229041.tif 000016
【図１５】
2014229041.tif 000017
【図１６】
2014229041.tif 000018
【図１７】
2014229041.tif 000019
【図１８】
2014229041.tif 000020
【図１９】
2014229041.tif 000021
【図２０】
2014229041.tif 000022
【図２１】
2014229041.tif 000023
【図２２】
2014229041.tif 000024
【図２３】
2014229041.tif 000025